(57)【特許請求の範囲】
【請求項１】
施設構内に設置された設備機器の設備に関する制御情報が電話端末機から構内交換機に発呼され、構内交換機のアナログ局線回路がＯＮとなることで接点信号が設備機器の入力端子に発信されて設備のＯＮ／ＯＦＦを制御するシステムに設けられる接点信号出力装置であって、
構内交換機のアナログ局線回路から発信された接点信号を受信する設備制御情報受信部と、
その接点信号の受信後の継続時間を計測する受信時間計測部と、
受信後の継続時間に関する設定値を記憶する設定時間記憶部と、
ＯＮ／ＯＦＦ動作を行う接点が備わった内部回路と、
構内交換機のアナログ局線回路から発信された接点信号を内部回路のＯＮ／ＯＦＦ動作により処理する接点信号処理部と、
設備機器のＯＮ／ＯＦＦを制御する入力端子が接続され、設備機器に対して処理された接点信号を発信する接点信号発信部と、を備え、
接点信号処理部は、受信時間計測部が計測した接点信号の受信後の継続時間、及び設定時間記憶部に記憶された設定値に基づいて内部回路のＯＮ／ＯＦＦ動作を制御することを特徴とする接点信号出力装置。
【請求項２】
請求項１に記載の接点信号出力装置であって、接点信号処理部は、接点信号の発信がその設備機器に予め設定された設定値を超えた場合には、内部回路をＯＦＦ動作することを特徴とする接点信号出力装置。
【請求項３】
請求項１に記載の接点信号出力装置であって、接点信号処理部は、接点信号の発信がその設備機器に予め設定された設定値に満たない場合には、設定時間記憶部に記憶された設定値が経過するまで内部回路のＯＮ動作を継続することを特徴とする接点信号出力装置。
【請求項４】
請求項１に記載の接点信号出力装置であって、接点信号発信部は、複数の設備機器に対して接点信号を発信し、接点信号処理部は、各設備機器に設定された設定値に基づいて設備機器ごとに発信するタイミングを設定して各設備機器に対応する内部回路をＯＮ動作することを特徴とする接点信号出力装置。
【請求項５】
施設構内に設置された設備機器の設備に関する制御情報が電話端末機から構内交換機に発呼され、構内交換機のアナログ局線回路がＯＮとなることで接点信号が設備機器の入力端子に発信されて設備のＯＮ／ＯＦＦを制御するシステムに設けられる接点信号出力装置であって、
構内交換機のアナログ局線回路から発信された接点信号を受信する設備制御情報受信部と、
ＯＮ／ＯＦＦ動作を行う接点が備わった内部回路と、
構内交換機のアナログ局線回路から発信された接点信号を内部回路のＯＮ／ＯＦＦ動作により処理する接点信号処理部と、
設備機器のＯＮ／ＯＦＦを制御する入力端子が接続され、設備機器に対して処理された接点信号を発信する接点信号発信部と、を備え、
接点信号処理部は、設備機器の接点が通常はＯＮであり動作時にＯＦＦとなる場合には、アナログ局線回路がＯＮとなる接点信号を内部回路がＯＮからＯＦＦとなる動作に変換することを特徴とする接点信号出力装置。
【請求項６】
請求項５に記載の接点信号出力装置であって、接点信号処理部は、設備機器をＯＮ動作させる接点信号とＯＦＦ動作させる接点信号とを２つのアナログ局線回路からそれぞれ独立して受信し、設備のＯＮ／ＯＦＦを制御することを特徴とする接点信号出力装置
【発明の詳細な説明】
【技術分野】
【０００１】
本発明は、接点信号出力装置に係り、特に、施設構内に設置された設備機器の設備に関する制御情報が電話端末機から構内交換機に発呼され、構内交換機のアナログ局線回路がＯＮとなることで接点信号が設備機器の入力端子に発信されて設備のＯＮ／ＯＦＦを制御するシステムに設けられる接点信号出力装置に関する。
【背景技術】
【０００２】
図９に、施設構内に設置された設備機器の設備に関する制御情報が電話端末機から構内交換機を介して設備機器に発呼されるシステムを示す。このシステム３０は、施設構内に設置された設備機器２と、ＰＨＳ端末機３又は構内電話機４などの電話端末機と、構内交換機５と、から構成される。そして、ＰＨＳ端末機３又は構内電話機４から予め設定されたダイヤル番号が入力されて設備機器２に関する制御情報が構内交換機５に発呼される。さらに、構内交換機５はこれらの設備機器２に関する制御情報を受信し、入力されたダイヤル番号に対応付けられた設備機器２に接続されたアナログ局線回路７を選択し、その設備機器２に接点信号を発信する。そして、構内交換機５から接点信号を受信した設備機器２は設備のＯＮ／ＯＦＦを切り替える。
【０００３】
図１０に、一般的な構内交換機を介した構内の電話端末機による外線との通話を示す。構内交換機３１と最寄りの電話局３３の電話交換機３４とは電話線３６により接続されている。構内交換機３１は、構内の電話端末機３５からの発呼を受信すると構内交換機３１に設けられたアナログ局線回路３２をＯＮにし、最寄りの電話局３３の電話交換機３４に発信する。このように、アナログ局線回路３２は、構内の電話端末機３５から電話線３６を介して外部に発信する機能であり、トランクが指定されて発信されることからトランク指定発信機能といわれる。
【０００４】
施設構内には各種の設備機器が設置される。例えば、空調機、照明設備、電気施錠により開閉される入退出ドア、電気施錠により開閉される非常扉、警報センサなどである。ここで、施設とは、例えば、工場、研究所、大学などの教育施設、オフィス、病院などを指し、施設構内とは、地域が限定された施設の領域をいう。これらの設備機器は接点信号のＯＮ／ＯＦＦで制御されるのが一般的である。このＯＮ／ＯＦＦ制御とは、例えば、空調機では冷房や暖房を起動（入れる）／停止（切る）であり、照明設備では点灯（点ける）／消灯（消す）であり、電気施錠により開閉される入退出ドアや非常扉では開錠（開ける）／施錠（閉める）であり、警報センサでは警報が発令可能とする（入れる）／発令不能とする（切る）である。
【０００５】
一方、特許文献１には、電話端末装置及び電話交換システムを用いて、自動的にビルディングの管理を行うビルディング管理システムが開示されている。ここでは、ＨＯＳＴが、内線電話端末からＰＢＸを介して受信した制御情報に基づいてビルディングの設備を制御するシステムが記載されている。
【０００６】
【特許文献１】特開平０５−１３０２５０号公報
【発明の開示】
【発明が解決しようとする課題】
【０００７】
電話端末機からダイヤル番号を入力して設備機器の設備に関する制御情報を発呼するシステムでは、電話端末機をオフフックしてダイヤル番号が入力された後、オンフックされるまでの時間は操作者に委ねられる。つまり、操作者はその設備機器に対して適切な接点信号の継続時間を意識して発呼しない場合がある。従って、この接点信号の継続時間は、設備機器を制御する接点信号として長すぎる場合、或いは短すぎる場合が発生する場合がある。これらの場合には設備機器は適切にＯＮ／ＯＦＦ動作しない虞がある。また、上記システムでは電話端末機から複数の設備機器に発呼して順番にＯＮ／ＯＦＦ動作させることはできない。
【０００８】
また、設備機器には、通常はＯＦＦであり動作時にＯＮとなる機器だけではなく、通常はＯＮであり動作時にＯＦＦとなる機器がある。しかし、上記システムでは、後者の設備機器の動作に対しては、アナログ局線回路がＯＮとなる接点信号しか発信できないため対応できない。
【０００９】
本願の目的は、かかる課題を解決し、電話端末機から入力された設備機器に関する制御情報を設備機器のＯＮ／ＯＦＦを適切に制御する接点信号として処理する接点信号出力装置を提供することである。
【課題を解決するための手段】
【００１０】
上記目的を達成するため、本発明に係る接点信号出力装置は、施設構内に設置された設備機器の設備に関する制御情報が電話端末機から構内交換機に発呼され、構内交換機のアナログ局線回路がＯＮとなることで接点信号が設備機器の入力端子に発信されて設備のＯＮ／ＯＦＦを制御するシステムに設けられる接点信号出力装置であって、構内交換機のアナログ局線回路から発信された接点信号を受信する設備制御情報受信部と、その接点信号の受信後の継続時間を計測する受信時間計測部と、受信後の継続時間に関する設定値を記憶する設定時間記憶部と、ＯＮ／ＯＦＦ動作を行う接点が備わった内部回路と、構内交換機のアナログ局線回路から発信された接点信号を内部回路のＯＮ／ＯＦＦ動作により処理する接点信号処理部と、設備機器のＯＮ／ＯＦＦを制御する入力端子が接続され、設備機器に対して処理された接点信号を発信する接点信号発信部と、を備え、接点信号処理部は、受信時間計測部が計測した接点信号の受信後の継続時間、及び設定時間記憶部に記憶された設定値に基づいて内部回路のＯＮ／ＯＦＦ動作を制御することを特徴とする。
【００１１】
また、接点信号出力装置は、接点信号処理部が、接点信号の発信がその設備機器に予め設定された設定値を超えた場合には、内部回路をＯＦＦ動作することが好ましい。
【００１２】
また、接点信号出力装置は、接点信号処理部が、接点信号の発信がその設備機器に予め設定された設定値に満たない場合には、設定時間記憶部に記憶された設定値が経過するまで内部回路のＯＮ動作を継続することが好ましい。
【００１３】
また、接点信号出力装置は、接点信号発信部が、複数の設備機器に対して接点信号を発信し、接点信号処理部は、各設備機器に設定された設定値に基づいて設備機器ごとに発信するタイミングを設定して各設備機器に対応する内部回路をＯＮ動作することが好ましい。
【００１４】
また、上記目的を達成するため、施設構内に設置された設備機器の設備に関する制御情報が電話端末機から構内交換機に発呼され、構内交換機のアナログ局線回路がＯＮとなることで接点信号が設備機器の入力端子に発信されて設備のＯＮ／ＯＦＦを制御するシステムに設けられる接点信号出力装置であって、構内交換機のアナログ局線回路から発信された接点信号を受信する設備制御情報受信部と、ＯＮ／ＯＦＦ動作を行う接点が備わった内部回路と、構内交換機のアナログ局線回路から発信された接点信号を内部回路のＯＮ／ＯＦＦ動作により処理する接点信号処理部と、設備機器のＯＮ／ＯＦＦを制御する入力端子が接続され、設備機器に対して処理された接点信号を発信する接点信号発信部と、を備え、接点信号処理部は、設備機器の接点が通常はＯＮであり動作時にＯＦＦとなる場合には、アナログ局線回路がＯＮとなる接点信号を内部回路がＯＮからＯＦＦとなる動作に変換することを特徴とする。
【００１５】
さらに、接点信号出力装置は、接点信号処理部が、設備機器をＯＮ動作させる接点信号とＯＦＦ動作させる接点信号とを２つのアナログ局線回路からそれぞれ独立して受信し、設備のＯＮ／ＯＦＦを制御することが好ましい。
【発明の効果】
【００１６】
上記構成により、接点信号出力装置は、電話端末機から入力された設備機器の設備に関する制御情報を、接点信号の受信後の継続時間、及び設定値に基づいて適切な接点信号に変換し、設備のＯＮ／ＯＦＦを制御することができる。すなわち、電話端末機が発呼する時間は操作者に委ねられるが、設備機器を制御する接点信号として長すぎる場合、短すぎる場合がある。また、電話端末機から複数の設備機器に発呼して順番にＯＮ／ＯＦＦ動作させたい場合がある。それらの場合に、接点信号出力装置は、接点信号の受信後の継続時間、及び記憶された設定値により接点信号の継続時間やタイミングを制御することができる。
【００１７】
また、上記構成により、接点信号出力装置は、設備機器の接点が通常はＯＮであり動作時にＯＦＦとなる場合には、アナログ局線回路がＯＮとなる接点信号を内部回路がＯＮからＯＦＦとなる動作に変換する。すなわち、設備機器には、通常はＯＦＦであり動作時にＯＮとなる機器だけではなく、通常はＯＮであり動作時にＯＦＦとなる機器がある。接点信号出力装置は、後者の機器に対しては、アナログ局線回路がＯＮとなる接点信号を変換することで対応できる。
【００１８】
以上のように、本発明に係る接点信号出力装置によれば、電話端末機から入力された設備機器に関する制御情報を設備機器のＯＮ／ＯＦＦを適切に制御する接点信号として処理することが可能となる。
【発明を実施するための最良の形態】
【００１９】
以下に、図面を用いて本発明に係る接点信号出力装置の実施の形態につき、詳細に説明する。
【００２０】
図１に、接点信号出力装置の１つの実施形態の概略構成を示す。接点信号出力装置１は、設備制御情報受信部１３、受信時間計測部１４、設定時間記憶部１５、内部回路１６、接点信号処理部１７、及び接点信号発信部１８から構成される。この接点信号出力装置１は、施設構内に設置された設備機器２の設備に関する制御情報が電話端末機であるＰＨＳ端末機３又は構内電話機４から構内交換機５に発呼され、構内交換機５のアナログ局線回路７がＯＮとなることで接点信号が設備機器２の入力端子に発信されて設備のＯＮ／ＯＦＦを制御するシステムに設けられる。また、ＰＨＳ端末機３はＰＨＳ基地局６を介して構内交換機５に接続され、構内電話機４は直接構内交換機５に接続される。
【００２１】
設備制御情報受信部１３は、構内交換機５のアナログ局線回路７から発信された接点信号を受信する。図１に示すように、このアナログ局線回路７は配線（Ｌ１及びＬ２）により接点信号出力装置１に接続されている。そして、アナログ局線回路７がＯＮになるとＬ１及びＬ２のループが閉じて接点信号が接点信号出力装置１に送信される。そして、設備制御情報受信部１３はこの接点信号を検知する。
【００２２】
図２に、ＰＨＳ端末機３又は構内電話機４に設定されたダイヤル番号、及びそのダイヤル番号に対応付けされて発呼される設備の制御情報の１つの実施例を示す。このように、ＰＨＳ端末機３又は構内電話機４から予め設定されたダイヤル番号が入力されると、例えば、空調機８、照明設備９、入退出ドア１０、非常扉１１、警報センサ１２などの設備機器２に図２に示す設備の制御情報が発呼される。
【００２３】
受信時間計測部１４は、構内交換機５から発信された接点信号を受信した後、その接点信号の継続時間を計測する。接点信号の受信後の継続時間とは、ＰＨＳ端末機３又は構内電話機４がオフフックされて設定されたダイヤル番号が入力された後、そのＰＨＳ端末機３又は構内電話機４がオンフックされるまでの時間をいう。設定されたダイヤル番号が入力されるとそのダイヤル番号に対応付けされた設備機器２には接点信号が発信されるが、ＰＨＳ端末機３又は構内電話機４がオンフックされるまでは接点信号が継続して発信される。また、時間記憶部１０は、後述するように、受信後の継続時間に関する設定値を記憶する。
【００２４】
内部回路１６は、ＯＮ／ＯＦＦ動作を行う接点を備える。この内部回路１６は、設備機器２の入力端子（図示せず）に配線（Ｌ１及びＬ２）を介して接続されている。すなわち、後述するように、接点信号出力装置１は、この内部回路１６を有することで構内電話機４から発信された接点信号を処理することができる。
【００２５】
接点信号処理部１７は、構内交換機５のアナログ局線回路７から発信された接点信号を内部回路１６のＯＮ／ＯＦＦ動作により処理する。すなわち、接点信号処理部１７は、受信時間計測部１４が計測した接点信号の受信後の継続時間、及び設定時間記憶部１５に記憶された設定値に基づいて内部回路１６のＯＮ／ＯＦＦ動作を制御する。これにより、ＰＨＳ端末機３又は構内電話機４から発呼された設備機器２に関する制御情報を、設備機器２のＯＮ／ＯＦＦを制御する接点信号として適切に処理できる。
【００２６】
接点信号発信部１８は、設備機器２のＯＮ／ＯＦＦを制御する入力端子が接続され、設備機器２に対して内部回路１６により処理された接点信号を発信する。
【００２７】
図３に、接点信号出力装置１と構内交換器５との接続、及び接点信号出力装置１と各設備機器２との接続を示す。接点信号出力装置１は、図２に示す配線（Ｌ１及びＬ２）により構内交換機５のアナログ局線回路７ａ〜７ｅに接続される。このように、アナログ局線回路７のトランクが指定されて接点信号が接点信号出力装置１に発信される。また、各設備機器２は、それぞれのＯＮ／ＯＦＦを制御する入力端子が、図２に示す配線（Ｌ１´及びＬ２´）により接点信号出力装置１の内部回路１６ａ〜１６ｅに接続される。
【００２８】
図４〜図６に、接点信号処理部１７による接点信号の処理の実施例を示す。図４は、構内交換機５からの接点信号の発信がその設備機器２に予め設定された設定値を超えた場合の処理である。すなわち、ＰＨＳ端末機３又は構内電話機４が操作者によりオフフックされて設定されたダイヤル番号が入力された後、そのＰＨＳ端末機３又は構内電話機４がオンフックするまでの時間が長すぎる場合である。時間記憶部１０は、受信後の最大継続時間に関する設定値（ｔ1）を記憶する。接点信号処理部１７は、受信時間計測部１４が計測した時間が設定値（ｔ1）を越えた場合には内部回路１６をＯＦＦ動作する。これにより、切り忘れなどによりオンフックするまでの時間が長すぎる場合には、内部回路１６が自動的にＯＦＦとなり、新たにＰＨＳ端末機３又は構内電話機４から入力される設備機器２の設備に関する制御情報が通話中により発呼されないという事態を回避できる。また、ラッチ信号を要求する設備機器２に対しては、設定値（ｔ1）を設定することで対応することができる。
【００２９】
図５は、構内交換機５からの接点信号の発信がその設備機器２に予め設定された設定値に満たない場合の処理である。すなわち、ＰＨＳ端末機３又は構内電話機４が操作者によりオフフックされて設定されたダイヤル番号が入力された後、そのＰＨＳ端末機３又は構内電話機４がオンフックするまでの時間が短い場合である。時間記憶部１０は、受信後の最小継続時間に関する設定値（ｔ2）を記憶する。接点信号処理部１７は、受信時間計測部１４が計測した時間が設定値（ｔ2）に満たない場合であっても設定値（ｔ2）まで内部回路１６のＯＮ動作を継続する。これにより、誤操作などによりオンフックするまでの時間が短い場合には、内部回路１６が自動的にＯＮ状態を継続し、ＰＨＳ端末機３又は構内電話機４から入力された設備機器２の設備に関する制御情報が検出されないという事態を回避できる。また、起動するのにある程度の長さの信号を要求する設備機器２に対しては、設定値（ｔ2）を設定することで対応することができる。
【００３０】
図６は、電話端末機から複数の設備機器２に発呼し、相互のタイミングをずらしてＯＮ／ＯＦＦ動作させたい場合の処理である。例えば、空調機８を切った後、所定の時間が経過した後に照明設備９を消したい場合などである。時間記憶部１０は、継続する設備機器２のＯＮ／ＯＦＦ動作の待ち時間を設定値（ｔ3）として記憶する。接点信号処理部１７は、受信時間計測部１４が計測した時間が設定値（ｔ3）を越えたときに継続する設備機器２に対応する内部回路１６をＯＮにする。これにより、複数の設備機器２が連携する場合に、継続する設備機器２のＯＮ／ＯＦＦ動作のタイミングを、設定値（ｔ3）を設定することで対応することができる。
【００３１】
図７に、接点信号出力装置の他の実施形態の概略構成を示す。接点信号出力装置２０は、設備制御情報受信部２３、内部回路２６、接点信号処理部２７、及び接点信号発信部２８から構成される。上述した実施形態と同様なものは同じ符号を付し、その説明は省略する。
【００３２】
接点信号処理部２７は、設備機器２の接点が通常はＯＮであり動作時にＯＦＦとなる場合には、アナログ局線回路７がＯＮとなる接点信号を内部回路２６がＯＮからＯＦＦとなる動作に変換する。すなわち、設備機器２には、通常はＯＦＦであり動作時にＯＮとなる機器だけではなく、通常はＯＮであり動作時にＯＦＦとなる機器がある。本実施形態の接点信号出力装置２０は、後者の機器に対しては、アナログ局線回路７がＯＦＦからＯＮとなる接点信号を内部回路２６にてＯＮからＯＦＦに動作させる。これにより、設備機器２のメーク或いはブレークのいずれに対しても対応できる。
【００３３】
図８に、設備機器２をＯＮ動作させる接点信号とＯＦＦ動作させる接点信号とを２つのアナログ局線回路７からそれぞれ独立して受信する処理を示す。ここでは、例として空調機８の冷房や暖房を起動（入れる）／停止（切る）する場合について説明する。構内交換機５には、空調機８を起動（入れる）させる接点信号を発信させるアナログ局線回路７ａと、空調機８を停止（切る）させる接点信号を発信させるアナログ局線回路７ｂとがある。操作者により図２に示すダイヤル番号（＃１１）を入力するとアナログ局線回路７ａが選択され、ダイヤル番号（＃１２）を入力するとアナログ局線回路７ｂが選択される。アナログ局線回路７ａからの信号を受信した接点信号出力装置２０は、内部回路２６ａをＯＮにすることで、空調機８を起動（入れる）させる接点信号を発信する。アナログ局線回路７ｂからの信号を受信した接点信号出力装置２０は、内部回路２６ｂをＯＦＦにすることで、空調機８を停止（切る）させる接点信号を発信する。
【００３４】
このように、設備機器２をＯＮ動作させる接点信号とＯＦＦ動作させる接点信号とを２つのアナログ局線回路７からそれぞれ独立して受信し、設備機器２のＯＮ／ＯＦＦを制御することで、例えば、空調機８、照明設備９のようにＯＮ動作させる接点信号とＯＦＦ動作させる接点信号が独立している空調機８、照明設備９に対応することができる。
【図面の簡単な説明】
【００３５】
【図１】本発明に係る接点信号出力装置の１つの実施形態の概略構成を示す説明図である。
【図２】電話端末機に設定されたダイヤル番号、及びそのダイヤル番号に対応付けされた発呼される設備の制御情報の１つの実施例を示す説明図である。
【図３】接点信号出力装置と構内交換器との接続、及び接点信号出力装置と各設備機器との接続を示す説明図である。
【図４】構内交換機からの接点信号の発信がその設備機器に予め設定された設定値を超えた場合の処理を示す説明図である。
【図５】構内交換機からの接点信号の発信がその設備機器に予め設定された設定値に満たない場合の処理を示す説明図である。
【図６】電話端末機から複数の設備機器に発呼して順番にＯＮ／ＯＦＦ動作させたい場合の処理を示す説明図である。
【図７】接点信号出力装置の他の実施形態の概略構成を示す説明図である。
【図８】設備機器をＯＮ動作させる接点信号とＯＦＦ動作させる接点信号とを２つのアナログ局線回路からそれぞれ独立して受信する処理を示す説明図である。
【図９】施設構内に設置された設備機器の設備に関する制御情報が電話端末機から構内交換機を介して設備機器に発呼されるシステムを示す説明図である。
【図１０】構内交換機のアナログ局線回路を示す説明図である。
【符号の説明】
【００３６】
１，２０  接点信号出力装置、２  設備機器、３  ＰＨＳ端末機、４  構内電話機、５，３１  構内交換機、６  ＰＨＳ基地局、７，３２  アナログ局線回路、８  空調機、９  照明設備、１０  入退出ドア、１１  非常扉、１２  警報センサ、１３，２３  設備制御情報受信部、１４  受信時間計測部、１５  設定時間記憶部、１６，２６  内部回路、１７，２７  接点信号処理部、１８，２８  接点信号発信部、３０  システム、３３  電話局、３４  電話交換機、３５  電話端末機、３６  電話線。
【図１】
0004933469.tif 000002
【図２】
0004933469.tif 000003
【図３】
0004933469.tif 000004
【図４】
0004933469.tif 000005
【図５】
0004933469.tif 000006
【図６】
0004933469.tif 000007
【図７】
0004933469.tif 000008
【図８】
0004933469.tif 000009
【図９】
0004933469.tif 000010
【図１０】
0004933469.tif 000011